【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
コンピュータに、
第１コンテンツを所定の表示領域に表示する表示手順と、
前記表示手順によって表示された第１コンテンツに対する移動操作が行われ、当該第１コンテンツが前記表示領域の端部の近傍に移動された場合に、当該第１コンテンツに第２コンテンツを重ねる処理を開始する表示制御手順と、
を実行させることを特徴とする情報表示プログラム。
【請求項２】
前記表示制御手順は、
前記移動操作によって前記第１コンテンツのいずれかの端部が前記表示領域の端部と重なった場合に、当該第１コンテンツに前記第２コンテンツを重ねる処理を開始する、
ことを特徴とする請求項１に記載の情報表示プログラム。
【請求項３】
前記表示制御手順は、
前記第１コンテンツの少なくとも一部が前記表示領域の外に移動された場合に、当該第１コンテンツに前記第２コンテンツを重ねる処理を開始する、
ことを特徴とする請求項１に記載の情報表示プログラム。
【請求項４】
前記表示制御手順は、
前記第１コンテンツ上に前記第２コンテンツを移動させることにより、当該第２コンテンツを徐々に当該第１コンテンツに重ねて表示する、
ことを特徴とする請求項１〜３のいずれか一つに記載の情報表示プログラム。
【請求項５】
前記表示制御手順は、
２種類の異なる画像を含む第２コンテンツにおいて、互いに逆方向から前記画像を第１コンテンツ上に移動させることにより、当該第２コンテンツを徐々に当該第１コンテンツに重ねて表示する、
ことを特徴とする請求項４に記載の情報表示プログラム。
【請求項６】
前記表示制御手順は、
前記移動操作による移動方向に対応する画像に係るコンテンツを選択し、第２コンテンツとして第１コンテンツに重ねて表示する、
ことを特徴とする請求項１〜３のいずれか一つに記載の情報表示プログラム。
【請求項７】
前記表示制御手順は、
前記第１コンテンツに前記第２コンテンツを重ねる処理を開始した際に、当該第１コンテンツに所定のフィルタ処理を実行する、
ことを特徴とする請求項１〜６のいずれか一つに記載の情報表示プログラム。
【請求項８】
前記表示制御手順は、
動画に係る前記第１コンテンツに前記第２コンテンツを重ねる処理を開始した際に、当該第１コンテンツの再生を停止させる、
ことを特徴とする請求項１〜７のいずれか一つに記載の情報表示プログラム。
【請求項９】
前記表示制御手順は、
前記第１コンテンツの再生を停止した後に、当該第１コンテンツに前記第２コンテンツを重ねる処理を開始した際の前記表示領域内の位置から当該第１コンテンツが移動されたときには、当該第１コンテンツの再生を再開する、
ことを特徴とする請求項８に記載の情報表示プログラム。
【請求項１０】
前記表示制御手順は、
前記第１コンテンツの再生を停止した時点の再生位置、又は、当該第１コンテンツの再生を停止した時点の所定時間前の再生位置に基づいて、当該第１コンテンツの再生を再開する際の再生の開始位置を決定する、
ことを特徴とする請求項９に記載の情報表示プログラム。
【請求項１１】
前記表示制御手順は、
前記第１コンテンツの再生を停止する前の再生位置であって、当該第１コンテンツに前記第２コンテンツを重ねる処理を開始した際の前記表示領域内の位置における当該第１コンテンツの再生位置に基づいて、当該第１コンテンツの再生を再開する際の再生の開始位置を決定する、
ことを特徴とする請求項９に記載の情報表示プログラム。
【請求項１２】
コンピュータに、
第１コンテンツの上に重ねられた第２コンテンツを所定の表示領域に表示する表示手順と、
前記表示手順によって表示された第２コンテンツが前記表示領域の外側から内側へ移動されることによって当該第２コンテンツの一部が当該表示領域に表示された場合に、前記第１コンテンツ上に重ねられていた当該第２コンテンツを当該第１コンテンツ上から移動させることにより、当該第１コンテンツを前記表示領域に表示する処理を開始する表示制御手順と、
を実行させることを特徴とする情報表示プログラム。
【請求項１３】
前記表示制御手順は、
前記第２コンテンツを移動させる処理を行うとともに、動画に係る前記第１コンテンツの再生を開始させる、
ことを特徴とする請求項１２に記載の情報表示プログラム。
【請求項１４】
前記表示制御手順は、
前記第１コンテンツの視聴状況に応じて、当該第１コンテンツに重ねる第２コンテンツを選択する、
ことを特徴とする請求項１〜１３のいずれか一つに記載の情報表示プログラム。
【請求項１５】
前記表示手順は、
前記第１コンテンツとして、第３コンテンツが有する表示枠内に表示される広告に係るコンテンツを表示し、前記第２コンテンツとして、前記第１コンテンツと共通する対象を宣伝する広告に係るコンテンツを表示する、
ことを特徴とする請求項１〜１４のいずれか一つに記載の情報表示プログラム。
【請求項１６】
第１コンテンツを所定の表示領域に表示する表示部と、
前記表示部によって表示された第１コンテンツに対する移動操作が行われ、当該第１コンテンツが前記表示領域の端部の近傍に移動された場合に、当該第１コンテンツに第２コンテンツを重ねる処理を開始する表示制御部と、
を備えることを特徴とする情報表示装置。
【請求項１７】
情報表示装置が実行する情報表示方法であって、
第１コンテンツを所定の表示領域に表示する表示工程と、
前記表示工程によって表示された第１コンテンツに対する移動操作が行われ、当該第１コンテンツが前記表示領域の端部の近傍に移動された場合に、当該第１コンテンツに第２コンテンツを重ねる処理を開始する表示制御工程と、
を含むことを特徴とする情報表示方法。
【請求項１８】
第１コンテンツと第２コンテンツとを表示する端末装置に制御情報を配信する配信部を備え、
前記制御情報は、
前記第１コンテンツを所定の表示領域に表示する表示手順と、
前記表示手順によって表示された第１コンテンツに対する移動操作が行われ、当該第１コンテンツが前記表示領域の端部の近傍に移動された場合に、当該第１コンテンツに前記第２コンテンツを重ねる処理を開始する表示制御手順と、
を前記端末装置に実行させることを特徴とする配信装置。
【請求項１９】
第１コンテンツの上に重ねられた第２コンテンツを所定の表示領域に表示する表示部と、
前記表示部によって表示された第２コンテンツが前記表示領域の外側から内側へ移動されることによって当該第２コンテンツの一部が当該表示領域に表示された場合に、前記第１コンテンツ上に重ねられていた当該第２コンテンツを当該第１コンテンツ上から移動させることにより、当該第１コンテンツを前記表示領域に表示する処理を開始する表示制御部と、
を備えることを特徴とする情報表示装置。
【請求項２０】
情報表示装置が実行する情報表示方法であって、
第１コンテンツの上に重ねられた第２コンテンツを所定の表示領域に表示する表示工程と、
前記表示工程によって表示された第２コンテンツが前記表示領域の外側から内側へ移動されることによって当該第２コンテンツの一部が当該表示領域に表示された場合に、前記第１コンテンツ上に重ねられていた当該第２コンテンツを当該第１コンテンツ上から移動させることにより、当該第１コンテンツを前記表示領域に表示する処理を開始する表示制御工程と、
を含むことを特徴とする情報表示方法。
【請求項２１】
第１コンテンツと第２コンテンツとを表示する端末装置に制御情報を配信する配信部を備え、
前記制御情報は、
第１コンテンツの上に重ねられた第２コンテンツを所定の表示領域に表示する表示手順と、
前記表示手順によって表示された第２コンテンツが前記表示領域の外側から内側へ移動されることによって当該第２コンテンツの一部が当該表示領域に表示された場合に、前記第１コンテンツ上に重ねられていた当該第２コンテンツを当該第１コンテンツ上から移動させることにより、当該第１コンテンツを前記表示領域に表示する処理を開始する表示制御手順と、
を前記端末装置に実行させることを特徴とする配信装置。
【手続補正２】
【補正対象書類名】明細書
【補正対象項目名】発明の名称
【補正方法】変更
【補正の内容】
【発明の名称】情報表示プログラム、情報表示方法、情報表示装置および配信装置
【手続補正３】
【補正対象書類名】明細書
【補正対象項目名】０００１
【補正方法】変更
【補正の内容】
【０００１】
本発明は、情報表示プログラム、情報表示方法、情報表示装置および配信装置に関する。
【手続補正４】
【補正対象書類名】明細書
【補正対象項目名】０００６
【補正方法】変更
【補正の内容】
【０００６】
本願に係る情報表示プログラムは、コンピュータに、第１コンテンツを所定の表示領域に表示する表示手順と、前記表示手順によって表示された第１コンテンツに対する移動操作が行われ、当該第１コンテンツが前記表示領域の端部の近傍に移動された場合に、当該第１コンテンツに第２コンテンツを重ねる処理を開始する表示制御手順と、を実行させることを特徴とする。